(57)【要約】【課題】本考案は、組み立て式支持板を備える折りたたみ可能な収納箱を提供する。【解決手段】本考案の収納箱は、軟性の布材によってなるとともに上方には開口が形成する箱体を備え、前記箱体の開口周縁と箱体の底部周縁には、それぞれ上部フレームと下部フレームが設けられ、前記上部フレーム上面と側面、及び、下部フレームの下面と側面には、複数の付着部材がそれぞれ設けられ、箱体内部底面周辺には複数の支持板が連結される。支持板の長さは、前記箱体を完全に展開した後の、前記上部フレーム下面と前記下部フレーム上面との間の距離より短くない。箱体が展開された時、前記支持板はめくりあげられて直立状態になり上部フレーム下面と下部フレーム上面の箱体内部底面との間を支え収納箱を形成し、前記支持板の、上部フレームと下部フレームに対する支持を外すと、箱体は折りたたまれて平らな形態になる。前記箱体側壁と前記支持板には、複数の固定装置が設けられる。【選択図】図１
0003169031.tif 000002
【実用新案登録請求の範囲】
【請求項１】
折りたたみ可能な収納箱であって、
前記収納箱は、軟性の布材によってなるとともに上方には開口が形成する箱体を備え、前記箱体の開口周縁と箱体の底部周縁には、それぞれ上部フレームと下部フレームが設けられ、前記上部フレーム上面と側面、及び、下部フレームの下面と側面には、複数の付着部材がそれぞれ設けられ、箱体内部底面周辺には複数の支持板が連結され、
支持板の長さは、前記箱体を完全に展開した後の、前記上部フレーム下面と前記下部フレーム上面との間の距離より短くなく、
箱体が展開された時、前記支持板はめくりあげられて直立状態になり上部フレーム下面と下部フレーム上面の箱体内部底面との間を支え収納箱を形成し、
前記支持板の、上部フレームと下部フレームに対する支持を外すと、箱体は折りたたまれて平らな形態になり、
前記箱体側壁と前記支持板には、複数の固定装置が設けられることを特徴とする、折りたたみ可能な収納箱。
【請求項２】
前記固定装置は、前記箱体に設けられるとともに雄面ファスナーを備える固定片と、前記支持板に設けられる雌面ファスナーとによって構成し、前記固定片は、前記箱体の内側壁に設けられ、前記上部フレームの下面には円を描く溝部が設けられ、前記箱体の開口周縁は折曲部を形成し、前記折曲部は前記溝部に嵌め込まれて固定され、前記箱体の内部には、前記箱体の内部に複数の空間を形成させるために、仕切り壁が設けられることを特徴とする、請求項１に記載の折りたたみ可能な収納箱。
【請求項３】
前記付着部材は磁石であることを特徴とする、請求項１に記載の折りたたみ可能な収納箱。
【考案の詳細な説明】
【技術分野】
【０００１】
本考案は折りたたみ可能な収納箱に関し、特に折りたたんで平らにしたり、組み立て式支持板によって、箱体を展開させて物品を収納可能にしたりすることが可能な収納箱に関する。
【背景技術】
【０００２】
現在、市場には折りたたみ可能な収納箱が存在するが、設計の構造上、折りたたんだ後も平らにすることはできず、折りたたんだ後の外観が好ましくないだけでなく、しまっておくのにも不便である。
【０００３】
従来の収納箱には、硬質の板を軟質の布材で包むことで、収納箱の直立の壁面を構成させる種類もある。壁面内に二枚の硬質板を設けるとともに二枚の硬質板の間には隙間を設けた設計になっているため、収納箱の壁面を折り曲げることができる。それ以外の構造上の特徴としては、袋体の上方の開口の両側に、それぞれ提耳が設けられているだけである。
【考案の概要】
【考案が解決しようとする課題】
【０００４】
本考案は、組み立て式支持板を備える折りたたみ可能な収納箱を提供することを目的とする。
【課題を解決するための手段】
【０００５】
本考案による折りたたみ可能な収納箱は、軟性の布材からなる箱体を備え、箱体上方の開口に上部フレームを設け、箱体下方に下部フレームを設け、前記上部フレームの上面と側面、及び、下部フレームの下面と側面に付着部材を設ける。それにより、二つの箱体を上下に重ねる、或いは左右に並べ、前記付着部材によって相互に固定することができる。また、箱体内部底面には複数の支持板を設ける。それにより、支持板の下端を、箱体を展開させる、或いは折りたたむのに対応させて、上下に動作させることができる。以上の構造により、収納箱を折りたたんでしまっておく時は、支持板を箱体内部底面上に平らに置いておき、収納箱を展開させて使用したい時は、支持板をめくり上げて、支持板の上、下端を、それぞれ上部フレーム下面と下部フレーム上面の箱体内部底面を支持させることで、収納箱を形成させることができる。
【０００６】
また、本考案の箱体の側壁と支持板の間には固定装置を設ける。支持板で上部フレームと下部フレームの間を支える際、前記固定装置によって支持板を固定することにより、更に安定した支持を得ることができる。
【考案の効果】
【０００７】
本考案は、家の中の物品や個人の物品を収納することができる収納箱であり、収納箱を使用していない時は、部材をばらばらに解体しなくても、折りたたんで平らにすることができ、使用する時は、部材を組み立てなくても、展開させて箱体にすることができる。また、複数の収納箱を、上下に重ねて固定したり、左右に並べて固定させたりすることができ、それにより、さらに多くの収納空間を備えさせることができる。
【図面の簡単な説明】
【０００８】
【図１】本考案の一実施形態による収納箱の構造を示した断面斜視図である。
【図２】本考案の収納箱の内部に仕切り壁を設けた実施例を示した斜視図である。
【図３】本考案の収納箱を折りたたんで平らにした実施例を示した斜視図である。
【図４】本考案の収納箱を展開させて、支持板で支持させた実施例を示した斜視図である。
【図５】仕切り壁を設けた本考案の収納箱を展開させて、支持板で支持させた実施例を示した斜視図である。
【図６】本考案の収納箱を上下に重ねた実施例を示した斜視図である。
【図７】本考案の収納箱に複数の仕切り壁を設けた後、それを直立させた実施例を示した斜視図である。
【図８】本考案の直立させた収納箱を上下に重ね、さらに左右に並列させた実施例を示した斜視図である。
【考案を実施するための形態】
【０００９】
図１と図４に示すように、本考案の実施例は、箱体１と、閉じた環状の上部フレーム２と、閉じた環状の下部フレーム３と、真っすぐな複数の支持板４とによって構成する。箱体１は、軟性の布材によってなる。箱体１の上方には開口が形成されるとともに、下方には底面１２が形成され、開口の周辺と底面１２の間には周囲を取り囲む側壁１１が設けられる。上部フレーム２は、箱体１の開口に対応するとともに、開口の周縁に連結される。下部フレーム３は、箱体１の下端周縁形状に対応し、箱体１の下端周縁に連結される。支持板４は、箱体１内部の底面１２の周辺（例えば、矩形箱体の各隅）に連結され、それにより、箱体１を展開させたり、折りたたんだ際に、支持板４を上下に動作させることができる。また、支持板４の長さは、上部フレーム２下面から下部フレーム３上面の箱体１内部の底面１２までの距離より短くない。以上の構造により、箱体１を展開させた時、支持板４をめくり上げて直立させた状態にすることで、上部フレーム２下面から下部フレーム３上面の箱体１内部の底面１２までの間を支えることができ、それにより、支持板４に支えられて固定され収納箱を構成する（図１と図４に図示）。また、上部フレーム２と下部フレーム３から支持板４を外すと、箱体１を折りたたんで平らな形態にすることができる（図３に図示）。
【００１０】
図１に示すように、本考案には、さらに、支持板４を箱体１に固定させるための複数の固定装置を設けることができる。本考案の実施例において、この固定装置は、箱体１の側壁１１に設けられた、雄面ファスナー１３１を備える固定片１３と、支持板４の一側の上端の近くの位置に設けられた雌面ファスナー４１とからなる。支持板４で、上部フレーム２下面と下部フレーム３上面の箱体１内部の底面１２までの間を支持させた後、固定片１３で支持板４を覆い、雄面ファスナー１３１と雌面ファスナー４１を相互に粘着させると、支持板４を箱体１に固定させることができ、より安定した支持を得られる。
【００１１】
図１には、本考案の側壁１１上端と上部フレーム２、及び、側壁１１下端と下部フレーム３の連結構造を示している。その内、上部フレーム２の下面には、円を描く上溝部２１が設けられ、上溝部２１が延伸する内部の直径は、その開口より大きい。また、下部フレーム３の上面には円を描く下溝部３１が設けられ、下溝部３１が延伸する内部の直径はその開口より大きい。なお、箱体１の側壁１１上方の開口端縁、及び下方周縁は、それぞれ折曲部１４を形成する。そして、固定片１３を、まずミシン縫いの技術、或いは、その他適切な方法によって、側壁１１に固定した後、さらに、側壁１１上、下方の折曲部１４を上溝部２１と下溝部３１内に嵌め込んで固定する。
【００１２】
図１は、本考案の別の実施例も示している。別の実施例では、上部フレーム２の上面と側面、及び、下部フレーム３の下面（図示せず）と側面には、いずれも付着部材５を設ける。なお、本考案の実施例において、付着部材５は磁石を用いるが、もちろん、面ファスナーなどの固定部材を用いてもかまわない。二つの箱体１の上下を重ねた際、箱体の上部フレーム２下面の磁石と、もう一つの箱体の下部フレーム３上面の磁石が相互に吸着することにより固定される（図６に図示）。若しくは、二つの箱体を左右に並べた時、箱体の上、下部フレーム２、３側辺の磁石と、もう一つの箱体の上、下部フレーム２、３側辺の磁石が相互に吸着することにより固定される（図８に図示）。
【００１３】
図２と図５に示すように、本考案は、さらに、箱体１の内部に仕切り壁１５を設けることで、箱体１の内部を二つの空間に区切ることができる。さらには、図７に示すように、箱体１内部に、さらに多くの仕切り壁１５を設けることで、更に多くの内部空間に区切ることができる。仕切り壁１５は、箱体１の側壁１１の材料と同じ軟性布材からなるが、側壁１１の材料と異なる軟性布材を用いてもかまわない。
【００１４】
図７と図８に示すように、本考案の収納箱は、箱体を組み立てて直立させた際、上部フレーム２と下部フレーム３に設けられた付着部材５を露出させることができる。それにより、二つの箱体を上下に重ねた時、或いは左右に並べた時、付着部材５を相互に吸着させて固定させることができる。
【符号の説明】
【００１５】
１      箱体
１１    側壁
１２    底面
１３    固定片
１３１  雄面ファスナー
１４    折曲部
１５    仕切り壁
２      上部フレーム
２１    上溝部
３      下部フレーム
３１    下溝部
４      支持板
４１    雌面ファスナー
５      付着部材
【図１】
0003169031.tif 000003
【図２】
0003169031.tif 000004
【図３】
0003169031.tif 000005
【図４】
0003169031.tif 000006
【図５】
0003169031.tif 000007
【図６】
0003169031.tif 000008
【図７】
0003169031.tif 000009
【図８】
0003169031.tif 000010